(57)【要約】  【課題】  個人がデータをアップロードするホームページにおいて、不適切なデータを一般公開することを避け、かつ、個人はすべてのアップロードデータの閲覧ができるようにすることを課題とする。  【解決手段】  公開してもよいアップロードデータのみからなる公開用ホームページを記憶する公開用ホームページ記憶手段と、すべてのアップロードデータからなるプライベート用ホームページデータを記憶したユーザ用記憶手段があり、ホームページデータを要求するクライアントコンピュータの使用者に応じて、データをアップロードしたユーザ以外に対しては公開用ホームページデータを送信し、当該ユーザに対してはプライベート用ホームページデータを送信する。【選択図】  図３
2006172081.tif 000002
【特許請求の範囲】
【請求項１】
複数のユーザーごとに、それぞれのユーザーがアップロードするテキストデータ、画像データ、動画データの少なくとも一つよりなるアップロードデータをホームページデータとして記憶し、インターネット上で接続するクライアントコンピューターに公開するホームページ管理サーバーであって、
各ユーザーからアップロードされるアップロードデータを受け付けるアップロードデータ受付手段と、
アップロードデータ受付手段により受け付けられたアップロードデータを公開してよいものか否かを判断する公開判断手段と、
前記ユーザーごとに、前記受け付けられたアップロードデータのうち公開判断手段によって公開してよいと判断されたものを公開用ホームページデータとして記憶する公開用記憶手段と、
前記公開用記憶手段に記憶された公開用ホームページデータに関連付けて、前記受け付けられたアップロードデータをすべてプライベート用ホームページデータとして前記ユーザーごとに記憶するユーザー用記憶手段と、
ホームページデータの要求がクライアントコンピューターからあった場合に、クライアントコンピューターの使用者が、要求されたホームページデータをアップロードしたユーザー本人からの要求か否かを判断するユーザー判断手段と、
ユーザー判断手段がユーザー本人でないと判断した場合は公開用記憶手段に記憶されている要求された公開用ホームページデータを送信し、ユーザー本人であると判断した場合には、ユーザー用記憶手段に記憶されている要求された公開用ホームページデータに関連付けられたプライベート用ホームページデータを送信するホームページデータ送信手段と
を有するホームページ管理サーバー。
【請求項２】
前記ホームページ管理サーバーにおいて、
公開用記憶手段とユーザー用記憶手段に替えて、
アップロードデータをすべてプライベート用ホームページデータとして記憶するととに、プライベート用ホームページデータ中のアップロードデータのうち、公開判断手段により公開してよいと判断されたアップロードデータを公開可能データとして識別できるように記憶するアップロードデータ記憶手段を設け、
前記ホームページデータ送信手段に替えて、ユーザー判断手段がユーザー本人でないと判断した場合はアップロードデータ記憶手段に記憶されている要求されたプライベート用ホームページデータから公開可能データのみを送信し、ユーザー本人であると判断した場合には、アップロードデータ記憶手段に記憶されている要求されたプライベート用ホームページデータを送信するホームページデータ選別送信手段を設けた
請求項１に記載のホームページ管理サーバー。
【請求項３】
前記アップロードデータ受付手段はクラアントコンピューターに予め送信されるアップロード用ホームページから入力されるアップロードデータを受け付ける請求項１又は２に記載のホームページ管理サーバー。
【請求項４】
前記公開判断手段は、
受け付けられたアップロードデータを前記ホームページ管理サーバーの管理者に表示するアップロードデータ表示手段と、
当該管理者から表示されたアップロードデータを公開してよいか否かを示す指示を受け付ける公開当否受付手段と、
公開当否受付手段により受け付けられた結果に従って、受け付けられたアップロードデータを公開してよいものか否かの判断を出力する判断出力手段と
から構成される請求項1から３のいずれか１項に記載のホームページ管理サーバー。
【請求項５】
前記ホームページデータ送信手段は、前記ユーザー判断手段がユーザー本人であると判断した場合であっても、前記クライアントコンピューターから所定の情報を受け付けた場合には公開用ホームページデータを送信する請求項１から４のいずれか１項に記載のホームページ管理サーバー。
【請求項６】
前記クライアントコンピューターは、インターネットに対する情報の授受が可能な機能を有する携帯電話であり、
前記ホームページ管理サーバーは、この携帯電話からのアクセスにより、各携帯電話の識別情報を取得できるものであって、この識別情報によりアクセスしてきた者の判断を行うものである請求項１から５のいずれか１項に記載のホームページ管理サーバー。
【請求項７】
コンピューターに請求項１から６のいずれか１項に記載のホームページデータ管理サーバーの機能を実現させるプログラム。
【発明の詳細な説明】
【技術分野】
【０００１】
本発明はインターネット上に公開されるホームページを管理するサーバーに関し、特に、ユーザーがアップロードするデータの検閲を行うサーバーに関する。
【背景技術】
【０００２】
インターネット上のホームページによる掲示板や、近年、普及をしはじめたウエブログサービスは、ＷＷＷ（World Wide Web）の利用者が、テキストデータや画像データなどを簡易にアップロードできるものであり、ホームページのコンテンツとしての価値が高い。
しかし、掲示板やウエブログは各個人が自由に種々の内容のデータをアップロードできるので、個人情報や特定人の中傷など不適切な内容のデータがアップロードされることも多く、これらのホームページの管理者やサービス提供者は不適切なデータのアップロードを検閲する必要がある。そのために、例えば、下記の特許文献１、２等には不適切な用語等を自動的に検閲するシステムが提示されている。また、多くの場合、すべてのアップロードデータを人が直接監視することが行われている。
【特許文献１】特開２００３−２４２０４８号公報
【特許文献２】特許第２９５１３０７号公報
【発明の開示】
【発明が解決しようとする課題】
【０００３】
ところで、近年普及しはじめたウエブログサービスは、データをアップロードするユーザにとっては日記としての意味合いがある。しかし、アップロードされたデータは一般公開されるために上記のような技術等により検閲され、削除されてしまう場合もある。このように不適切なデータが削除されることは一般公開されるデータであるという観点からみると妥当であるが、日記としてプライベートに利用されるデータという観点からみると、一般公開するのは不適切なデータであっても削除する必要はなく、逆に、削除すると日記としての価値が大きく失われてしまうことになる。
本発明は、このような問題を鑑みて、個人がデータをアップロードするホームページにおいて、不適切なデータを一般公開することを避け、かつ、個人はすべてのアップロードデータの閲覧ができるようにすることを課題とする。
【課題を解決するための手段】
【０００４】
上記課題を解決するために、本発明は次のような構成を有する。
請求項１に記載の発明は、複数のユーザーごとに、それぞれのユーザーがアップロードするテキストデータ、画像データ、動画データの少なくとも一つよりなるアップロードデータをホームページデータとして記憶し、インターネット上で接続するクライアントコンピューターに公開するホームページ管理サーバーである。そして、アップロードデータ受付手段は各ユーザーからアップロードされるアップロードデータを受けつけ、公開判断手段がアップロードデータ受付手段により受け付けられたアップロードデータを公開してよいものか否かを判断し、公開用記憶手段は前記ユーザーごとに、前記受け付けられたアップロードデータのうち公開判断手段によって公開してよいと判断されたものを公開用ホームページデータとして記憶する。一方、ユーザー用記憶手段は、前記公開用記憶手段に記憶された公開用ホームページデータに関連付けて、前記受け付けられたアップロードデータをすべてプライベート用ホームページデータとして前記ユーザーごとに記憶する。そして、ユーザー判断手段がホームページデータの要求がクライアントコンピューターからあった場合に、クライアントコンピューターの使用者が、要求されたホームページデータをアップロードしたユーザー本人からの要求か否かを判断し、ホームページデータ送信手段がユーザー判断手段がユーザー本人でないと判断した場合は公開用記憶手段に記憶されている要求された公開用ホームページデータを送信し、ユーザー本人であると判断した場合には、ユーザー用記憶手段に記憶されている要求された公開用ホームページデータに関連付けられたプライベート用ホームページデータを送信する。なお、公開判断手段は、サーバーの管理者の判断に沿って判断を下すものであってもよいし、公開すべきでないデータの条件に照らして自動的に判断を下すものであってもよい。
【０００５】
請求項２に記載の発明は、前記ホームページ管理サーバーにおいて、公開用記憶手段とユーザー用記憶手段に替えて、アップロードデータをすべてプライベート用ホームページデータとして記憶するととに、プライベート用ホームページデータ中のアップロードデータのうち、公開判断手段により公開してよいと判断されたアップロードデータを公開可能データとして識別できるように記憶するアップロードデータ記憶手段を設け、前記ホームページデータ送信手段に替えて、ユーザー判断手段がユーザー本人でないと判断した場合はアップロードデータ記憶手段に記憶されている要求されたプライベート用ホームページデータから公開可能データのみを抽出して送信し、ユーザー本人であると判断した場合には、アップロードデータ記憶手段に記憶されている要求されたプライベート用ホームページデータを送信するホームページデータ選別送信手段を設けたものである。
【０００６】
請求項３に記載の発明は、前記ホームページ管理サーバーにおいて、前記アップロードデータ受付手段はクラアントコンピューターに予め送信されるアップロード用ホームページから入力されるアップロードデータを受け付けるものである。
請求項４に記載の発明は、前記前記ホームページ管理サーバーにおいて、公開判断手段は、アップロードデータ表示手段により受け付けられたアップロードデータを前記ホームページ管理サーバーの管理者に表示し、公開当否受付手段が当該管理者から表示されたアップロードデータを公開してよいか否かを示す指示を受け付け、判断出力手段が公開当否受付手段により受け付けられた結果に従って、受け付けられたアップロードデータを公開してよいものか否かの判断を出力するものである。なお、アップロードデータ表示手段による「表示」とは、管理者になんらかの形でアップロードデータの内容を示すことができれば足り、ホームページ管理サーバーのモニターに直接表示する場合の他、管理者の操作するクライアントコンピューターのモニター画面に表示させたり、プリンターによりプリントアウトすることに表示することを含む。
【０００７】
請求項５に記載の発明は、前記ホームページ管理サーバーにおいて、前記ホームページデータ送信手段は、前記ユーザー判断手段がユーザー本人であると判断した場合であっても、クライアントコンピューターから所定の情報を受け付けた場合には公開用ホームページデータを送信するものである。
請求項６に記載の発明は、前記ホームページ管理サーバーにおいて、前記クライアントコンピューターは、インターネットに対する情報の授受が可能な機能を有する携帯電話であり、前記クライアントサーバーは、この携帯電話からのアクセスにより、各携帯電話の識別情報を取得できるものであって、この識別情報によりアクセスしてきた者の判断を行うものである。
請求項７に記載の発明は、コンピューターに請求項１から６のいずれか１項に記載のホームページデータ管理サーバーの機能を実現させるプログラムである。
【発明の効果】
【０００８】
請求項１に記載の発明は、公開してもよいアップロードデータのみからなる公開用ホームページを記憶する公開用ホームページ記憶手段と、すべてのアップロードデータからなるプライベート用ホームページデータを記憶したユーザ用記憶手段があり、ホームページデータを要求するクライアントコンピュータの使用者に応じて、データをアップロードしたユーザ以外に対しては公開用ホームページデータを送信し、当該ユーザに対してはプライベート用ホームページデータを送信する。すなわち、不適切なデータを一般公開することは避けることができ、同時に、データをアップロードしたユーザはすべてのアップロードデータの閲覧ができることになる。
請求項２に記載の発明は、アップロードデータをすべてプライベート用ホームページデータとして記憶するととに、プライベート用ホームページデータ中のアップロードデータのうち、公開判断手段により公開してよいと判断されたアップロードデータを公開可能データとして識別できるように記憶するアップロードデータ記憶手段があり、ホームページデータを要求するクライアントコンピュータの使用者に応じて、データをアップロードしたユーザに対してはプライベート用ホームページデータを送信し、これ以外の者に対してはプライベート用ホームページデータのうち公開可能データのみを送信する。すなわち、やはり、不適切なデータを一般公開することは避けることができ、同時に、データをアップロードしたユーザはすべてのアップロードデータの閲覧ができることになる。
【０００９】
請求項３に記載の発明は、前記アップロードデータ受付手段がクラアントコンピューターに予め送信されるアップロード用ホームページから入力されるアップロードデータを受け付けることで、サーバーに直接アップロードされるデーターを受け付ける場合に比較して、ユーザーの負担を軽減することができる。
請求項４に記載の発明は、公開判断手段の判断を前記ホームページ管理サーバーの管理者の判断に沿って行うので、コンピューターでは判定しづらいニュアンスや文脈なども考慮して公開の可否判断を行うことができる。
請求項５に記載の発明は、ユーザー本人であっても、所定の情報を前記ホームページデータ送信手段が受け付けた場合には公開用ホームページデータが送信されるので、ユーザー本人が一般に公開されているホームページの内容を閲覧することができる。
請求項６に記載の発明は、携帯電話の個別情報によりアクセス者の識別を行うことで、IDなどで識別する場合に比較して、なりすましやデータの漏洩などの確率を低減させることができる。
請求項７に記載の発明は、一般的なコンピューターにより前記ホームページ管理サーバーを実現することができる。
【発明を実施するための最良の形態】
【００１０】
以下、本発明の実施形態について、図面を参照しながら説明する。
図１に本実施の形態に係るホームページ管理サーバーＡが属するネットワークを模式的に示す。図１においてホームページ管理サーバーAはインターネットを経由して、クライアントコンピューターとなるインターネットに対する情報の授受が可能な機能を有する複数の携帯電話Ｘと接続されているとともに、管理者が操作するクライアントコンピューターである管理者コンピューターＹとも接続されている。ホームページ管理サーバーＡは個々の携帯電話を使用する複数のユーザーごとに、それぞれのユーザーがアップロードするテキストデータ、画像データ、動画データの少なくとも一つよりなるアップロードデータをホームページデータとして記憶し、インターネット上で接続する他の携帯電話を使用するユーザー公開するものである。ここでは、ユーザーはウエブログとして日にちごとにページを割り当てられたホームページにテキストデータや画像データをホームページ管理サーバーＡにアップロードし公開するものとする。また、ホームページ管理サーバーＡは、携帯電話Ｘからのアクセスがあった場合に、携帯電話Ｘから送信される携帯電話の識別情報を常に受け付けることで、個々の携帯電話を識別することができるようになっている。
【００１１】
図２に本ホームページ管理サーバーＡのハードウエア構成の概要を表すブロック図を示す。ホームページ管理サーバーＡは一般的なコンピューターにより構成され、具体的には演算処理を行うCPU１１、CPUの作業領域となるRAM１２、基本的なプログラムはデータを記録するROM１３、CPUの動作タイミングを取るためのクロック１４、データやプログラムを記憶するためのハードディスク１５、データーの入力を行うためのキーボード１８、マウス１９などの入力デバイス、情報を表示するためのモニター１６、インターネットに接続するためのルーター等のネットワークインターフェース１７などにより構成される。ホームページ管理サーバーＡはこのような一般的なコンピューターに下記に示すような動作を行わせるプログラムを組み込むことにより実現される。
【００１２】
図３にホームページ管理サーバーＡの機能を模式的に表す機能ブロック図を示す。
ホームページ管理サーバーＡは、アップロードデータ受付部１０１、ユーザー用記憶部１０２、公開用記憶部１０３、公開判断部１０４、ユーザー判断部１０５、ホームページデータ送信部１０６を含む。
アップロードデータ受付部１０１は各ユーザーから携帯電話Ｘを介してアップロードされるアップロードデータを受けつける。アップロードデータは、まず、ユーザーがホームページ管理用サーバーＡにアップロード用のホームページを要求し、これに入力されて送信されてくるようになっている。アップロードは既にアップロードしたウエブログの一日分のホームページに対して変更、追加などにより更新する場合や、新たに一日分のホームページを構成するテキストデータ等をアップロードする場合がある。ホームページ管理サーバーＡは携帯電話Ｘを識別できるので、アップロードデータ受付部１０１はこの識別情報もともに受け付ける。受け付けられたアップロードデータはまずユーザー用記憶部１０２の識別情報に関連付けられたウエブログページとしてすべて記憶される。
公開判断部１０４はアップロードデータ受付部１０１により受け付けら、ユーザー用記憶部１０２に記憶されたアップロードデータを公開してよいものか否かを判断する。公開判断部１０４は、受け付けられたアップロードデータを前記ホームページ管理サーバーの管理者に表示するアップロードデータ表示部１０４ａ、当該管理者から表示されたアップロードデータを公開してよいか否かを示す指示を受け付ける公開当否受付部１０４ｂ、公開当否受付部１０４ｂにより受け付けられた結果に従って、受け付けられたアップロードデータを公開してよいものか否かの判断を出力する判断出力部１０４ｃを有する。これにより、まず、アップロードデータ表示部１０４ａが管理者コンピューターＹからの要求に応じて、ユーザー用記憶部１０２に記憶されているアップロードされたウエブログページを送信し、管理者コンピュータＹのブラウザアプリケーションにより表示させる。表示されたウエブログページにはチェックボックスが表示されており、管理者は公開すべきでないウエブログページに関してはチェックボックスにチェックをいれ、そうでないウエブログページにはチェックボックスをそのままにし、ホームページ管理サーバーＡへ送信する。この結果を公開当否受付部１０４ｂが受けつけ、判断出力部１０４ｃがチェックボックスにチェックが入ったウエブログページに所定のコードを非公開コードとして付加して出力する。この非公開コードの有無はユーザー用記憶部１０２に記憶されたウエブログページにも記憶される。
【００１３】
公開用記憶部１０３は前記ユーザーごとに、前記受け付けられたアップロードデータのうち公開判断部１０４によって公開してよいと判断されたものを公開用ホームページデータとして記憶する。すなわち、ユーザー用記憶部１０２に新たに記憶された、もしくは、更新により書き換えられたウエブログページのうち、公開判断部１０４により非公開コードが付加されなかったウエブログページを除いて、公開用ホームページデータとして記憶する。図４（ａ）に公開用記憶部１０３のレコード内容を模式的に示す。図に示すように公開用記憶部１０３は、携帯電話の識別情報であるユーザ識別情報と公開用ホームページデータとを関連づけて記憶する。公開用ホームページデータは複数の１日分のウエブログページデータの束により構成される。この公開用記憶部１０３の各ユーザーごとの記憶エリアが各ユーザーに割り当てられているウエブログサイトのＵＲＬ（Uniform Resource Locator）となる。
ユーザー用記憶部１０２は、前述したように前記受け付けられたアップロードデータをすべてプライベート用ホームページデータとして前記ユーザーごとに記憶する。図４（ｂ）にユーザー用記憶部１０２のレコード内容を模式的に示す。図に示すようにユーザー用記憶部１０２は携帯電話の識別情報であるユーザ識別情報とプライベート用ホームページデータとを関連づけて記憶する。このユーザー識別情報によりプライベート用ホームページデータは公開用ホームページデータと関連付けられる。また、プライベート用ホームページデータは、複数の一日分のウエブログページデータの束により構成され、各ウエブログページデータにはこれに対する前述した非公開コードの有無を示す非公開フラグとが関連付けられている。
【００１４】
ユーザー判断部１０５はホームページデータの要求がクライアントコンピューターである携帯電話Ｘからあった場合に、携帯電話Ｘの使用者が、要求されたホームページデータをアップロードしたユーザー本人からの要求か否かを判断する。具体的には、送信されてきたＵＲＬに記憶される公開用ホームページデータに関連付けて記憶されるユーザ識別情報と、送信されてきたユーザ識別情報である携帯電話の識別情報とが一致するかどうかによってユーザー本人からの要求か否かを判断する。
ホームページデータ送信部１０６はユーザー判断部１０５がユーザー本人でないと判断した場合は公開用記憶部１０３に記憶されている要求された公開用ホームページデータを送信し、ユーザー本人であると判断した場合には、ユーザー用記憶部１０２に記憶されている要求された公開用ホームページデータに関連付けられた、すなわち同じ識別情報に関連づけられたプライベート用ホームページデータを送信する。
【００１５】
次に、上記のような構成を有するホームページ管理サーバーＡの動作について説明する。まず、ユーザーの携帯電話Ｘからアップロードデータを受け付け記憶する動作について説明する。図５にこの動作を表すフローチャートを示す。最初にデータをアップロードしようとするユーザーは携帯電話を通じてホームページ管理サーバーＡにアクセスして、アップロード用のホームページのＵＲＬを送信してくるので、アップロードデータ受信部１０１は、アップロード用のホームページデータを携帯電話Ｘへ送信する（ｓ１０１）。ユーザーはこのアップロード用のホームページから新規にデータを入力するか、既にアップロードした内容を更新するかのいずれかの操作を行い、結果を送信してくるので、これを受け付け（ｓ１０２）、ユーザー用記憶部１０２が新規データである場合には、これを携帯電話Ａの識別情報と関連づけて記憶する（ｓ１０３、ｓ１０５）。一方、受け付けられたデータが更新されたデータである場合は、ユーザー用記憶部１０２が携帯電話の識別番号に基づきアップロードデータを更新する（ｓ１０３、ｓ１０５）。
【００１６】
次に、ホームページ管理サーバーＡの管理者が新規のアップロードデータもしくは更新されたアップロードデータのチェックを行う場合の動作について説明する。図６にこの動作を表すフローチャートを示す。まず、管理者は管理者コンピューターＹを介してホームページ管理サーバーＡにアクセスして、新規のアップロードデータおよび更新されたアップロードデータを要求してくるので、アップロードデータ表示部１０４ａがこれを管理者コンピューターＹへ送信する（ｓ２０１、ｓ２０２）。具体的には、新規のアップロードデータと更新されたアップロードデータは、これらが配列されたホームページデータとして送信される。管理者はホームページデータとして送信されてきたものをブラウザソフトウエアにより表示し、この表示された内容を目視して、公開してもよいものにはなにもせず、公開すべきでないものには、それぞれのアップロードデータに付記されているチェックボックスにチェックを入れて、ホームページ管理サーバＡへ返信する。公開判断部１０４の公開当否受付部１０４ｂはこれを受け付けて（ｓ２０３）、判断出力部１０４ｃがチェックボックスにチェックが入ったアップロードデータに非公開コードを関連付けて出力する（ｓ２０４）。ユーザー用記憶部１０２は、判断出力部１０４ｃの出力結果に従って、ユーザー用記憶部１０２のぞれぞれのウエブログページデータの非公開フラグの書換えを行う（ｓ２０５）。なお、更新されたアップロードデータにおいて、元々非公開フラグが付加されていたものも、判断出力部１０４ｃから非公開コードが関連付けられずに出力されたものは非公開フラグが反転することになる。ユーザー用記憶部１０２の非公開コードの書換えが行われると、公開用記憶部１０３に反映され、非公開フラグが付加されていない新規のアップロードデータがユーザー記憶部１０２と同じ識別情報に関連付けられて記憶され、新たに非公開フラグが付加された更新データが記憶されている場合は削除される（ｓ２０６）。
【００１７】
最後に、携帯電話の使用者へ各ユーザーがアップロードしたホームページを送信する動作について説明する。図７にこの動作を表すフローチャートを示す。まず、携帯電話Ａの使用者が所定の所定のＵＲＬを送信することによりホームページデータを要求してくるので、ＨＰデータ送信部１０６がこれを受けつける（ｓ３０１）。次に、ユーザー判断部１０５が携帯電話Ａの識別情報に基づいて、受け付けられたＵＲＬに記憶されるホームページデータの識別情報と比較し、データをアップロードしたユーザー本人か否かの判断を行う（ｓ３０２）。ここで、ユーザー本人ではないと判断された場合には（ｓ３０３）、ホームページデータ送信部１０６は公開用記憶部１０３に記憶された、受け付けたＵＲＬ対応する公開用ホームページデータを返信する（ｓ３０４）。一方、ユーザー本人であると判断された場合には（ｓ３０３）、ホームページデータ送信部１０６はユーザー用記憶部１０２に記憶された、受け付けたＵＲＬ対応するプライベート用ホームページデータを返信する（ｓ３０５）。
【００１８】
なお、上記実施の形態では、公開用記憶部１０３とユーザー用記憶部１０２とを設けているが、図８の機能ブロック図に示すホームページデータ管理サーバーＢのようにユーザー用記憶部１０２ａ（アップロードデータ記憶部）のみとして、非公開フラグに基づいてHPデータ送信部１０６ａ（ＨＰデータ選別送信部）がユーザー本人に対してはプライベート用ホームページを送信し、ユーザー本人以外に対しては、プライベート用ホームページのうち非公開フラグが関連づけられていないウエブログページのみを送信することにより、公開用ホームページとして送信するようにすることもできる。なお、この場合、ユーザー判断部は公開記憶部の識別情報ではなく、ユーザー記憶部の識別情報に基づいてユーザー本人からのアクセスかどうかの判断を行う。
この場合の動作を下記に説明する。アップロードデータをユーザー用記憶部１０２に記憶する動作は、上記の図５のフローチャートが示す動作と同じであり、管理者がアップロードデータをチェックする動作は上記の図６のフローチャートが示す動作において、最後の公開用記憶部１０３へ記憶する動作が無い点のみ異なる。残りの携帯電話の使用者へ各ユーザーがアップロードしたホームページを送信する動作について図９のフローチャートに基づいて説明する。まず、まず、携帯電話Ａの使用者が所定の所定のＵＲＬを送信することによりホームページデータを要求してくるので、ＨＰデータ送信部１０６ａがこれを受けつける（ｓ４０１）。次に、ユーザー判断部１０５が携帯電話Ａの識別情報に基づいて、受け付けられたＵＲＬに記憶されるホームページデータの識別情報と比較し、データをアップロードしたユーザー本人か否かの判断を行う（ｓ４０２）。ここで、ユーザー本人ではないと判断された場合には（ｓ４０３）、ホームページデータ送信部１０６ａはユーザー用記憶部１０２ａに記憶された、受け付けたＵＲＬ対応するプライベート用ホームページデータから非公開フラグが設定されているブログページを省いて返信する（ｓ４０４）。一方、ユーザー本人であると判断された場合には（ｓ３０３）、ホームページデータ送信部１０６ａはユーザー用記憶部１０２ａに記憶された、受け付けたＵＲＬ対応するプライベート用ホームページデータをそのまま返信する（ｓ４０５）。
【００１９】
また、上記の実施の形態では、公開の可否を一日のブログページ単位としているが、管理するアップロードデータの単位は任意に変更することができ、一回の新規アップロードデータ単位としたり、画像データファイルを別の単位としたりする等任意の設定で実現することができる。
さらに、上記実施の形態ではホームページ管理サーバーはクライアントコンピューターである管理コンピューターの操作者が遠隔でアップロードデータに公開の可否を判断しているが、これはホームページ管理サーバーの操作者がホームページ管理サーバーのモニターやマウス等を用いて入力するようにしてもよい。また、公開判断部において、不適切な言葉等を予め登録しておき、これを含むアップロードデータを自動的に排除するようにして、公開の可否をコンピューター上で処理するようにしてもよい。
そして、上記実施の形態では、データをアップロードしたユーザーは公開用ホームページデータを見ることができないが、所定の情報を入力することにより、公開用ホームページをみることができるようにするようにしてもよい。例えば、ユーザー用に特別なＵＲＬを提供しておいて、このＵＲＬを入力した場合は公開用ホームページを送信するようにしたり、プライベート用ホームページデータの表示画面上に公開用ホームページの呼び出しボタンを設けて、これを選択することで公開用ホームページを送信する等の方法が考えられる。また、プライベート用ホームページにおいて、非公開フラグが設定された部分に関しては、「非公開」といったテキストを付記したり、文字や背景の色を変えるなどの方法によりユーザーに非公開部分を知らせるようにすることもできる。
また、上記実施の形態ではクライアントコンピューターとしてインターネットに対して情報を授受できる携帯電話を用いているが、一般的なパソコンを用いることもできる。この場合は、ＩＤとパスワードの組み合わせ等により、使用者を識別するようにすればよい。
【図面の簡単な説明】
【００２０】
【図１】実施形態に係るホームページ管理サーバーを含むネットワークの概要を示す図である。
【図２】実施形態に係るホームページ管理サーバーのハードウエア構成を模式的に示すブロック図である。
【図３】実施形態に係るホームページ管理サーバーの機能を模式的に示す機能ブロック図である。
【図４】（ａ）は公開用記憶部のレコード内容を模式的に示す図であり、（ｂ）はユーザー用記憶部のレコード内容を模式的に示す図である。
【図５】ユーザーの携帯電話からアップロードデータを受け付け記憶する動作を表すフローチャートである。
【図６】新規のアップロードデータもしくは更新されたアップロードデータのチェックを行う場合の動作を示すフローチャートである。
【図７】携帯電話の使用者へ各ユーザーがアップロードしたホームページを送信する動作を示すフローチャートである。
【図８】ホームページ管理サーバーの他の例を示す機能ブロック図である。
【図９】図８に示すホームページ管理サーバーの携帯電話の使用者へ各ユーザーがアップロードしたホームページを送信する動作を示すフローチャートである。
【符号の説明】
【００２１】
Ａ、Ｂ    ホームページ管理サーバー
X        携帯電話（クライアントコンピューター）
Y        管理者コンピューター
１０１    アップロードデータ受付部
１０２    ユーザー用記憶部（アップロードデータ記憶部）
１０３    公開用記憶部
１０４    公開判断部
１０４ａ  アップロードデータ表示部
１０４ｂ  公開当否判断受付部
１０４ｃ  判断出力部
１０５    ユーザー判断部
１０６    ホームページデータ送信部
１０６ａ  ホームページデータ送信部（ホームページデータ選択送信部）
【図１】
2006172081.tif 000003
【図２】
2006172081.tif 000004
【図３】
2006172081.tif 000005
【図４】
2006172081.tif 000006
【図５】
2006172081.tif 000007
【図６】
2006172081.tif 000008
【図７】
2006172081.tif 000009
【図８】
2006172081.tif 000010
【図９】
2006172081.tif 000011